(57)【要約】【課題】効果的に撹拌を行うことができ、生ごみの分解スピードと分解状態を良好に保つ。【解決手段】生ごみ処理材を充填した生ごみ処理槽１に生ごみを入れて生ごみを分解処理する生ごみ処理装置２である。処理槽１内に上下方向を向くように回転軸３を設ける。この上下方向を向く回転軸３に複数枚の羽根４を設け、該羽根４の上面部５を回転方向における前側が後側よりも下となるように傾斜させ、且つ、上面部５の傾斜角度が回転軸３から遠ざかるにつれ大きくなるように形成する。【選択図】　　　　図１
2004016940.tif 000002
【特許請求の範囲】
【請求項１】
生ごみ処理材を充填した生ごみ処理槽に生ごみを入れて生ごみを分解処理する生ごみ処理装置において、生ごみ処理槽内に上下方向を向くように回転軸を設け、この上下方向を向く回転軸に複数枚の羽根を設け、該羽根の上面部を回転方向における前側が後側よりも下となるように傾斜させ、且つ、上面部の傾斜角度が回転軸から遠ざかるにつれ大きくなるように形成して成ることを特徴とする生ごみ処理装置。
【請求項２】
羽根が上方からの平面視で略扇状となり、扉形状の中心位置に回転軸が位置していることを特徴とする請求項１記載の生ごみ処理装置。
【請求項３】
羽根が上方からの平面視で回転方向の前側となる前縁部が中央ほど後側となるように湾曲していることを特徴とする請求項１記載の生ごみ処理装置。
【請求項４】
羽根を軸方向において異なる位置に複数個設けて成ることを特徴とする請求項１乃至請求項３のいずれかに記載の生ごみ処理装置。
【請求項５】
羽根が螺旋状に形成してあることを特徴とする請求項１記載の生ごみ処理装置。
【請求項６】
回転軸に軸方向に複数の羽根を設け、生ごみ処理槽の底面に近い羽根形状を他の羽根形状に対して平面視における投影面積を小さくして成ることを特徴とする請求項１乃至請求項４のいずれかに記載の生ごみ処理装置。
【請求項７】
回転軸に軸方向に複数の羽根を設け、生ごみ処理槽の底面に近い羽根の回転方向の前端縁部の形状を生ごみ処理槽の底面に対して一定の隙間を介して平行となるように設定して成ることを特徴とする請求項１乃至請求項４、請求項６のいずれかに記載の生ごみ処理装置。
【請求項８】
羽根の上面部が滑動性を有していることを特徴とする請求項１乃至請求項７のいずれかに記載の生ごみ処理装置。
【請求項９】
生ごみ処理槽の内壁に突起を設けて成ることを特徴とする請求項１乃至請求項８のいずれかに記載の生ごみ処理装置。
【請求項１０】
回転軸を駆動する駆動装置を設け、この駆動装置にロック検知手段を設けてロック検知時に駆動装置を逆回転させることを特徴とする請求項１乃至請求項９のいずれかに記載の生ごみ処理装置。
【発明の詳細な説明】
【０００１】
【発明の属する技術分野】
本発明は、生ごみを処理するための生ごみ処理装置に関するものである。
【０００２】
【従来の技術】
従来から生ごみ処理槽内部に生ごみ処理材を充填し、この生ごみ処理材が充填された生ごみ処理槽内に生ごみを投入して生ごみを分解処理するものが知られている。
【０００３】
この生ごみ処理装置は、従来にあっては、図１３に示すように生ごみ処理槽１内に横方向に回転軸３０を設け、この回転軸３０に撹拌刃３１（棒状や板を曲げたもの）を複数枚設けたものであった。ところが、このように回転軸３０を横方向に設けたものは、撹拌刃３１を翼形状にして積極的に生ごみ処理材を撹拌しようとすると、回転軸の両端が位置する生ごみ処理槽の両側壁に生ごみ処理材を翼形状をした撹拌刃３０により押し付けることになり、回転軸の両端部がロック状態となるという事態が発生するおそれがある。
【０００４】
このため、撹拌刃の形状を棒や板を曲げたものを回転させて、生ごみ処理材を撹拌するよりも、撹拌刃を翼形状とすることなく生ごみ処理材に棲息する分解菌に空気を送り込む方式を採用している場合が多い。しかし、このものは撹拌が十分にできないため、分解が悪くなるという問題がある。
【０００５】
特に、家庭用の生ごみ処理装置においては、生ごみ処理槽の容量が小さいため、生ごみ処理槽内における生ごみ処理材や生ごみの移動が少ないという問題がある。
【０００６】
【発明が解決しようとする課題】
本発明は上記の点に鑑みてなされたものであり、生ごみ処理槽の上方へ向けての羽根による搬送作用と、重力による自然落下作用とで、効果的に撹拌を行うことができ、生ごみの分解スピードと分解状態を良好に保つことができる生ごみ処理装置を提供することを課題とするものである。
【０００７】
【課題を解決するための手段】
上記課題を解決するために本発明に係る生ごみ処理装置は、生ごみ処理材を充填した生ごみ処理槽１に生ごみを入れて生ごみを分解処理する生ごみ処理装置２において、生ごみ処理槽１内に上下方向を向くように回転軸３を設け、この上下方向を向く回転軸３に複数枚の羽根４を設け、該羽根４の上面部５を回転方向における前側が後側よりも下となるように傾斜させ、且つ、上面部５の傾斜角度が回転軸３から遠ざかるにつれ大きくなるように形成して成ることを特徴とするものである。このような構成とすることで、回転軸３を回転して羽根４を回転することで、生ごみ処理材が羽根４の傾斜した上面部５により上方にすくい上げられると共に、上方にすくい上げられた生ごみ処理材は重力によって自然落下して撹拌を行うのであり、この場合、上面部５の傾斜角度が回転軸３から遠ざかるにつれ大きくなっていることで、外側程生ごみ処理材を上方にすくい上げる効果が得られ、羽根４の面積を大きくすることなく撹拌効率を向上できるものである。
【０００８】
また、羽根４が上方からの平面視で略扇状となり、扉形状の中心位置に回転軸３が位置していることが好ましい。このような構成とすることで、外側で生ごみ処理材を受け止めて上方にすくい上げ、中心付近で重力による落とし込みを促する働きが得られるものである。
【０００９】
また、羽根４が上方からの平面視で回転方向の前側となる前縁部が中央ほど後側となるように湾曲していることが好ましい。このような構成とすることで、生ごみ処理材を羽根４の前縁部の中央部に集めるようにしてすくい上げ、すくい上げ効率を良くすることができるものである。
【００１０】
また、羽根４を軸方向において異なる位置に複数個設けることが好ましい。このような構成とすることで、回転軸３の上下方向の異なる位置でそれぞれ生ごみ処理材を上方にすくい上げて、重力の作用で自然落下するという動きを繰り返すことができるものである。
【００１１】
また、羽根４が螺旋状に形成してあることが好ましい。このような構成とすることで、生ごみ処理材をより高い位置まで搬送押し上げることができるものである。
【００１２】
また、回転軸３に軸方向に複数の羽根４を設け、生ごみ処理槽１の底面１ａに近い羽根４形状を他の羽根４形状に対して平面視における投影面積を小さくすることが好ましい。このような構成とすることで、生ごみ処理槽１の底面１ａの生ごみ処理材を掻き取るために底面１ａに近い羽根４を小さくして、効果的に底面１ａの生ごみ処理材を掻き取ることができるものである。
【００１３】
また、回転軸３に軸方向に複数の羽根４を設け、生ごみ処理槽１の底面に近い羽根４の回転方向の前端縁部を生ごみ処理槽１の底面１ａに対して一定の隙間６を介して平行となるように設定することが好ましい。このような構成とすることで、生ごみ処理槽１の底面１ａへのこびりつきを抑制することができるものである。
【００１４】
また、羽根４の上面部５が滑動性を有していることが好ましい。このような構成とすることで、羽根４により生ごみ処理材を上方にすくい上げるに当たって、生ごみ処理材の羽根４への付着を抑制して効果的に生ごみ処理材を羽根４により上方にすくい上げることができるものである。
【００１５】
また、生ごみ処理槽１の内壁１ｂに突起７を設けることが好ましい。このような構成とすることで、生ごみ処理材による生ごみ処理槽１の内壁１ｂへの傷付き防止と生ごみ処理材の生ごみ処理槽１の内壁１ｂの表面へのこびりつきを軽減できるものである。
【００１６】
また、回転軸３を駆動する駆動装置８を設け、この駆動装置８にロック検知手段を設けてロック検知時に駆動装置８を逆回転させることが好ましい。すなわち、生ごみ処理装置２は常に定期的撹拌が要求されており、過負荷、生ごみ処理材の詰まり等によるロックを早急に解除する必要があるが、上記のように駆動装置８にロック検知手段を設けてロック検知時に駆動装置８を逆回転させることで、ロックを解除することができるものである。
【００１７】
【発明の実施の形態】
以下、本発明を添付図面に示す実施形態に基づいて説明する。
【００１８】
図１乃至図３には本発明の生ごみ処理装置２が示してある。生ごみ処理装置１の外殻を構成する本体ケース９内には生ごみ処理槽１が内装してある。本体ケース９の下部にはベース部９ａが設けてある。本体ケース９は上端部が開口していて蓋１０が開閉自在に取付けてあり、本体ケース９の上端部の開口に生ごみ処理槽１の上開口が連通している。ベース部９ａには生ごみ処理槽１内に蓄積した生ごみの未処理物が一定量越えるとオーバーフローしてダクトを通じて溜まるトレイ１１が設けてある。
【００１９】
生ごみ処理槽１内には回転軸３が回転自在に設けてあり、この回転軸３は生ごみ処理槽１の底面１ａ設けた軸受け部１２に回動自在に支持してあり、回転軸３は底面１ａに対して垂直となっていて軸の長手方向がほぼ上下方向を向くようになっている。生ごみ処理槽１の下部外側に減速モータブロックよりなる駆動装置８が設けてあって、この駆動装置８により回転軸３を回転駆動するようになっている。回転軸３には図４に示すように減速モータブロックの出力軸に噛み合う歯車部３ａが設けてあり、更に回転軸３の歯車部３ａの上部には、回転軸３が減速モータブロックの出力軸からの抜けを防止するためのリングが嵌合する抜け防止溝３ｂが形成してある。
【００２０】
生ごみ処理槽１内において略上下方向を向いた回転軸３は複数枚の羽根４が設けてあり、各羽根４の上面部５は面状をしていてこの面状をした上面部５は回転方向における前側が後側よりも下となるように傾斜しており、しかも、各羽根４の上面部５の傾斜角度は図６に示すように、回転軸３から遠ざかるにつれ大きくなるように形成してある。複数の羽根４は上下方向の羽根４を回転方向にずらして全体として螺旋状となるように配置してある。
【００２１】
各羽根４は図９（ｂ）に示すように下面側外周に垂下リブ１４が設けてあって、断面形状が凹形状となっていて羽根４の強度を向上させている。
【００２２】
また、回転軸３に設けた複数の羽根４は最下部の羽根４ｂと、最下部以外の羽根４ａとの２種類の羽根４が設けてある。最下部の羽根４ｂは他の羽根４ａに対して平面視における投影面積が小さな形状となっている。図７（ａ）（ｂ）に示すように、各羽根４は平面視略扇状をしており、各羽根４は扉形状の中心位置に回転軸３が位置するように取付けてある。
【００２３】
図１０に示すように、最下部の羽根４ｂの回転方向の前端縁部は生ごみ処理槽１の底面１ａとの間に一定の隙間６を形成して底面１ａと略平行となるようにしてあり、この場合、底面１ａと内壁１ｂとのなす弧状のコーナ部分と最下部の羽根４ｂの先端の弧状縁との間にも上記と同じ一定の隙間６が設けてある。
【００２４】
また、図１、図７に示すように、生ごみ処理槽１の内壁１ｂには上下方向に長い突起７が設けてあり、この突起７は実施形態では図８に示すように断面三角形状をしている。
【００２５】
上記のような構成の生ごみ処理装置２においては、駆動装置８を駆動することで回転軸３を回転するのであるが、回転軸３が回転すると羽根４が回転し、羽根４が回転すると、羽根４の傾斜した上面部５により生ごみ処理材が上方にすくい上げられと共に、上方にすくい上げられた生ごみ処理材が重力によって自然落下するという動作を繰り返しながら撹拌されるものである。この場合、上面部５の傾斜角度が回転軸３から遠ざかるにつれ大きくなっているので、外側程生ごみ処理材を上方にすくい上げる効果が得られ、羽根４の面積を大きくすることなく撹拌効率を向上できることになる。
【００２６】
そして、図７に示すように羽根４が上方からの平面視で略扇状となり、扉形状の中心位置に回転軸３が位置している構成となっていることで、外側で生ごみ処理材を受け止めて上方にすくい上げ、中心付近で重力による落とし込みを促する働きが得られ、図１の矢印に示すような撹拌の流れとなっていっそう効果的に撹拌できることになる。更に、羽根４は軸方向において異なる位置に複数個設けあるので、回転軸３の上下方向の異なる位置でそれぞれ生ごみ処理材を上方にすくい上げて、重力の作用で自然落下するという動きを繰り返すことができていっそう撹拌効果を上げることができるものである。ここで、図４に示すように、複数の羽根４は上下方向の羽根４を回転方向にずらして全体として螺旋状となるように配置することで、生ごみ処理材をより高い位置まで搬送押し上げることができてよりいっそう撹拌効果を上げることができることになる。
【００２７】
既に述べたように、本発明においては、生ごみ処理槽１の底面１ａに近い羽根４（つまり最下部の羽根４ｂ）形状を他の羽根４ａ形状に対して平面視における投影面積を小さくしてある。ここで、傾斜した最下部の羽根４ｂの平面視における投影面積が大きいと生ごみ処理槽１の底面１ａにこびりついている生ごみ処理材を掻き取るに当たって抵抗が大きくて大きな動力を必要とするが、上記のように最下部の羽根４ｂの平面視における投影面積を小さくすることで、小さな動力で効果的に底面１ａの生ごみ処理材を掻き取ることができるものである。
【００２８】
また、回転軸３に軸方向に複数の羽根４を設け、生ごみ処理槽１の底面に近い羽根４の回転方向の前端縁部を生ごみ処理槽１の底面１ａに対して一定の隙間６を介して平行となるように設定してあるが、これにより生ごみ処理槽１の底面１ａへのこびりつきを抑制することができるものである。
【００２９】
ところで、本発明において羽根４の上面部５が滑動性に優れたものにするのが好ましい。羽根４の上面部５を滑動性に優れたものとするには、例えば、図９に示すように、羽根４の上面部５には略半球状をした多数の微細突起１５を設けて上面部５の滑動性を良くすることが考えられる。ここで、更に上面部５にテフロン（Ｒ）等の滑性層を形成する表面処理を施してもよい。このように羽根４の上面部５を滑動性に優れたものとすると、羽根４の上面部５により生ごみ処理材を上方にすくい上げるに当たって、生ごみ処理材の羽根４への付着を抑制して効果的に生ごみ処理材を羽根４により上方にすくい上げることができることになる。
【００３０】
また、生ごみ処理槽１の内壁１ｂに前述のように突起７を設けると、生ごみ処理材による生ごみ処理槽１の内壁１ｂへの傷付き防止と生ごみ処理材の生ごみ処理槽１の内壁１ｂの表面へのこびりつきを軽減できるものである。
【００３１】
図１１には駆動装置８を構成する減速モータブロックの駆動用モータ１６を示している。図１１に示すように、モータ出力軸１７と直結したロータ１８は着磁されており、ステータ１９に電流を流すことにより磁界が発生し、そのロータ１８との磁界の反発によりロータ１８は回転し、モータ出力軸１７に動力として伝えられるようになっている。ロータ１８の近傍には回路基板２０が設けてあり、この回路基板２０にロータ１８の磁力を検出することができるホール素子２１が組み込まれている。そして、例えば外的要因で羽根４がロックされると、ロータ１８がストップし、ロック検知手段であるホール素子２１がロータ１８の停止を検知し、生ごみ処理装置の制御回路に停止信号が送られるようになっており、このロック検知の信号が制御回路に送られると、駆動用モータ１６を逆回転させ、ロックを解除するようになっている。
【００３２】
図１２には本発明の更に他の実施形態の羽根４の上方から見た平面図を示している。すなわち、上記した実施形態では回転軸３に一端部を固定した羽根４が上方から見た平面視で扇形状をした例のものを示したが、本実施形態においては、回転軸３に一端部を固定した羽根４が上方から見た平面視で回転方向の前側となる前縁部２０が中央ほど後側となるように湾曲した湾曲部２２となっている。他の羽根４の構成は前述の羽根４と同じ構成であるので、重複する説明は省略する。本実施形態の羽根４は上記のように、上方から見た平面視で回転方向の前側となる前縁部２０が中央ほど後側となるように湾曲している生ごみ処理材を羽根４の前縁部の中央部に集めるようにしてすくい上げ、すくい上げ効率を良くすることができるものである。
【００３３】
【発明の効果】
上記のように本発明の請求項１記載の発明にあっては、生ごみ処理材を充填した生ごみ処理槽に生ごみを入れて生ごみを分解処理する生ごみ処理装置において、処理槽内に上下方向を向くように回転軸を設け、この上下方向を向く回転軸に複数枚の羽根を設け、該羽根の上面部を回転方向における前側が後側よりも下となるように傾斜させ、且つ、上面部の傾斜角度が回転軸から遠ざかるにつれ大きくなるように形成してあるので、生ごみ処理材が羽根の傾斜した上面部により上方にすくい上げられると共に、上方にすくい上げられた生ごみ処理材が重力によって自然落下することで撹拌され、しかもこの撹拌の際に、上面部の傾斜角度が回転軸から遠ざかるにつれ大きくなっているので、外側程生ごみ処理材を上方にすくい上げる効果が得られ、羽根の面積を大きくすることなく撹拌効率を向上でき、これにより生ごみの処理が効果的に行われるものである。
【００３４】
また、請求項２記載の発明にあっては、上記請求項１記載の発明の効果に加えて、羽根が上方からの平面視で略扇状となり、扉形状の中心位置に回転軸が位置しているので、外側で生ごみ処理材を受け止めて上方にすくい上げ、中心付近で重力による落とし込みを促する働きが得られ、生ごみ処理槽の内部に充填した生ごみ処理材を内部において外側から中心部にかけて撹拌することができて、効果的な撹拌が得られるものである。
【００３５】
また、請求項３記載の発明にあっては、上記請求項１又は請求項２記載の発明の効果に加えて、羽根が上方からの平面視で回転方向の前側となる前縁部が中央ほど後側となるように湾曲しているので、生ごみ処理材を羽根の前縁部の中央部に集めるようにしてすくい上げ、すくい上げ効率を良くすることができるものである。
【００３６】
また、請求項４記載の発明にあっては、上記請求項１乃至請求項３のいずれかに記載の発明の効果に加えて、羽根を軸方向において異なる位置に複数個設けてあるので、回転軸の上下方向の異なる位置でそれぞれ生ごみ処理材を上方にすくい上げて、重力の作用で自然落下するという動きを繰り返すことができて、生ごみ処理槽内に充填した生ごみ処理材を上下方向において効果的に撹拌することができるものである。
【００３７】
また、請求項５記載の発明にあっては、上記請求項１記載の発明の効果に加えて、羽根が螺旋状に形成してあるので、生ごみ処理材をより高い位置まで搬送押し上げることができて、上下方向により効果的に撹拌ができるものである。
【００３８】
また、請求項６記載の発明にあっては、上記請求項１乃至請求項４のいずれかに記載の発明の効果に加えて、回転軸に軸方向に複数の羽根を設け、生ごみ処理槽の底面に近い羽根形状を他の羽根形状に対して平面視における投影面積を小さくしてあるので、生ごみ処理槽の底面の生ごみ処理材を掻き取るために底面に近い羽根を小さくして、小さな動力で効果的に底面の生ごみ処理材を掻き取ることができるものである。
【００３９】
また、請求項７記載の発明にあっては、上記請求項１乃至請求項４、請求項６のいずれかに記載の発明の効果に加えて、回転軸に軸方向に複数の羽根を設け、生ごみ処理槽の底面に近い羽根の回転方向の前端縁部を生ごみ処理槽の底面に対して一定の隙間を介して平行となるように設定してあるので、生ごみ処理槽の底面へのこびりつきを抑制することができるものである。
【００４０】
また、請求項８記載の発明にあっては、上記請求項１乃至請求項７のいずれかに記載の発明の効果に加えて、羽根の上面部が滑動性を有しているので、羽根により生ごみ処理材を上方にすくい上げるに当たって、生ごみ処理材の羽根への付着を抑制して効果的に生ごみ処理材を羽根により上方にすくい上げることができ、効果的に撹拌できるものである。
【００４１】
また、請求項９記載の発明にあっては、上記請求項１乃至請求項８のいずれかに記載の発明の効果に加えて、生ごみ処理槽の内壁に突起を設けてあるので、生ごみ処理材による生ごみ処理槽の内壁への傷付き防止と生ごみ処理材の生ごみ処理槽の内壁の表面へのこびりつきを軽減できるものである。
【００４２】
また、請求項１０記載の発明にあっては、上記請求項１乃至請求項９のいずれかに記載の発明の効果に加えて、回転軸を駆動する駆動装置を設け、この駆動装置にロック検知手段を設けてロック検知時に駆動装置を逆回転させるので、過負荷、生ごみ処理材の詰まり等によるロックの際にロック検知時によりこれを検知して駆動装置を逆回転させてロックを解除することができるものである
【図面の簡単な説明】
【図１】本発明の生ごみ処理装置の縦断面図である。
【図２】同上の生ごみ処理装置の斜視図である。
【図３】（ａ）は同上の生ごみ処理装置の平面図であり、（ｂ）は正面図であり、（ｃ）は側面図である。
【図４】同上の羽根を設けた回転軸の斜視図である。
【図５】同上の回転軸の回転方向と羽根の傾斜との関係とを示す斜視図である。
【図６】（ａ）は図５のＡ−Ａ線の断面図であり、（ｂ）は図５のＢ−Ｂ線の断面図であり、（ｃ）は図５のＣ−Ｃ線の断面図である。
【図７】（ａ）は同上の蓋を開いた状態の平面図であり、（ｂ）は回転軸に設けた羽根の平面図である。
【図８】同上の生ごみ処理槽の内壁の突起を示す平面図である。
【図９】（ａ）は同上の羽根を設けた回転軸の斜視図であり、（ｂ）は（ａ）のＤ−Ｄ線の断面図である。
【図１０】同上の最下部の羽根の下端と生ごみ処理槽の底面との間に一定の隙間を介している状態を示す説明図である。
【図１１】同上の駆動用モータを示す半断面図である。
【図１２】同上の回転軸に設けた羽根の他の実施形態の平面図である。
【図１３】従来例の一部破断した平面図である。
【符号の説明】
１　生ごみ処理槽
１ａ　底面
１ｂ　内壁
２　生ごみ処理装置
３　回転軸
４　羽根
５　上面部
６　隙間
７　突起
８　駆動装置
【図１】
2004016940.tif 000003
【図２】
2004016940.tif 000004
【図３】
2004016940.tif 000005
【図４】
2004016940.tif 000006
【図５】
2004016940.tif 000007
【図６】
2004016940.tif 000008
【図７】
2004016940.tif 000009
【図８】
2004016940.tif 000010
【図９】
2004016940.tif 000011
【図１０】
2004016940.tif 000012
【図１１】
2004016940.tif 000013
【図１２】
2004016940.tif 000014
【図１３】
2004016940.tif 000015